(57)【特許請求の範囲】
【請求項１】
流体弁とともに使用するためのボンネット組立体であって、
前記流体弁のシャフトの少なくとも一部を受け入れる通路を画定し、前記流体弁に取外し可能に結合されるものとするボンネットと、
前記流体弁を通る流体の流れに実質的に暴露されないように前記ボンネット内に取り付けられる保持組立体であって、前記ボンネットの一部に少なくとも部分的に配備されたキャップによって前記ボンネット内に取り付けられ、前記シャフト内にある溝部および前記溝部内に少なくとも一部がある複数のリングセグメントを備え、前記複数のリングセグメントの一部が、前記溝部から延在し、前記ボンネットの表面と前記キャップの面の間に配備されて、前記ボンネットの表面と前記キャップの面に直に接し、前記キャップとの相互作用により、前記シャフトの長手軸に沿う前記シャフトの移動量を制御して、前記流体弁の着座面に対して前記シャフトの１つのみの端部に結合された密封要素の整合を可能とする保持組立体と、
を備えるボンネット組立体。
【請求項２】
複数のリングセグメントが少なくとも部分的に前記シャフト内の溝部を包囲し、前記ボンネット内で捕捉される、請求項１に記載のボンネット組立体。
【請求項３】
前記保持組立体は、前記ボンネットから延在する前記シャフトのもう一方の端部に隣接する、請求項１に記載のボンネット組立体。
【請求項４】
前記ボンネットは、前記通路を画定する細長い部分を備え、且つ前記ボンネットは更に前記キャップの一部を受け入れるための空洞部を画定するカラーを備える、請求項１に記載のボンネット組立体。
【請求項５】
前記保持組立体は、前記複数のリングセグメントが内部に少なくとも部分的に配置された前記キャップによって画定された第２の溝部をさらに備える、請求項４に記載のボンネット組立体。
【請求項６】
前記保持組立体は、前記第１の溝部から延在する前記複数のリングセグメントの一部によって係合される前記カラーの肩部をさらに備え、前記複数のリングセグメント、前記第１の溝部、前記第２の溝部、および前記肩部の間の相互作用は、前記流体弁の前記着座面に対して前記密封要素の整合を可能にするために、前記シャフトの前記長手軸に沿った前記シャフトの前記移動量を制御する、請求項５に記載のボンネット組立体。
【請求項７】
前記第２の溝部に対して前記複数のリングセグメントの整合を可能にするために、前記第２の溝部を包囲するテーパ面をさらに備える、請求項６に記載のボンネット組立体。
【請求項８】
前記第１の溝部の厚さは、前記保持部の厚さより比較的大きい、請求項６に記載のボンネット組立体。
【請求項９】
前記複数のリングセグメントは対称形である、請求項１に記載のボンネット組立体。
【請求項１０】
前記第２の溝部は、前記シャフトが前記ボンネットから延在して通る前記キャップによって画定された開口を包囲する、請求項６に記載のボンネット組立体。
【請求項１１】
流体弁であって、
その中を通る前記流体の流れを可能にする流れ開口を有する弁本体と、
前記流れ開口を包囲する密封部と、
そこから延在するシャフトを有する密封要素であって、前記流れ開口を通る前記流体の流れを制御するために前記密封部および前記流れ開口に対して可動である密封要素と、
前記弁本体に取外し可能に結合され、前記シャフトを受け入れるための通路を有するボンネットと、
前記流体弁を通る流体の流れに実質的に暴露されないように前記ボンネット内に取り付けられる保持組立体であって、前記ボンネットの一部に少なくとも部分的に配備されたキャップによって前記ボンネット内に取り付けられ、前記シャフト内にある溝部および前記溝部内に少なくとも一部がある複数のリングセグメントを備え、前記複数のリングセグメントの一部が、前記溝部から延在し、前記ボンネットの表面と前記キャップの面の間に配備されて、前記ボンネットの表面と前記キャップの面に直に接し、保持組立体と前記キャップとの相互作用により、前記シャフトの長手軸に沿う前記シャフトの移動量を制御して、
前記流体弁の着座面に対して前記シャフトの１つのみの端部に結合された密封要素の整合を可能とする保持組立体と、を備える流体弁。
【請求項１２】
前記ボンネットは前記通路を形成する長い部分と、前記キャップの一部を受け入れる空洞部を形成するカラーとを備えた、請求項１１に記載の流体弁。
【請求項１３】
複数のリングセグメントが、前記シャフト内の溝部を少なくとも部分的に包囲し、前記ボンネット内で捕捉される、請求項１１に記載の流体弁。
【請求項１４】
流体弁であって、
その中を通る前記流体の流れを可能にする流れ開口を有する弁本体と、
前記流れ開口を包囲する密封部と、
そこから延在するシャフトを有する密封要素であって、前記流れ開口を通る前記流体の流れを制御するために前記密封部および前記流れ開口に対して可動である密封要素と、
前記弁本体に取外し可能に結合され、前記シャフトを受け入れるための通路を有するボンネットと、
前記弁本体および前記密封部に対して前記シャフトの１つのみの端部に結合された前記密封要素の整合を可能にするための、前記シャフトの長手軸に沿って前記シャフトの移動量を制御するための手段であって、前記流体弁を通る流体の流れに実質的に暴露されない前記ボンネット内に取り付けられている、手段と、を備え、
長手軸に沿って前記シャフトの移動量を制御するための手段は、前記ボンネットの一部に少なくとも部分的に配備されたキャップによって前記ボンネット内に保持されて、シャフト内にある溝部および前記溝部内に少なくとも一部がある複数のリングセグメントを備え、、前記複数のリングセグメントの一部が、前記溝部から延在し、前記ボンネットの表面と前記キャップの面の間に配備されて、前記ボンネットの表面と前記キャップの面に直に接し、前記シャフトの移動量を制御するための手段と前記キャップとの相互作用によって、前記シャフトの長手軸に沿う前記シャフトの移動量が制御される流体弁。
【請求項１５】
回転弁であって、
その中を通る流体の流れを可能にする流れ開口を有する弁本体と、
前記流れ開口を包囲する密封面と、
前記弁本体に結合され、シャフトを受け入れるための通路を有するボンネットと、
少なくとも部分的に前記シャフトに沿って配置され、前記流れ開口から離間されたシャフト保持部と、
前記流れ開口を通る流体流れを制御するために前記シャフトのもう一方の端部を経由して片持ちに作られた流体流れ制御部材であって、前記シャフト保持部は、前記ボンネットの一部に少なくとも部分的に配備されたキャップによって前記ボンネット内に保持されて、前記シャフト内にある溝部内に少なくとも一部がある複数のリングセグメントを有し、前記複数のリングセグメントの一部が、前記溝部から延在し、前記ボンネットの表面と前記キャップの面の間に配備されて、前記ボンネットの表面と前記キャップの面に直に接し、
前記シャフト保持部とキャップの相互作用により、前記シャフトの長手軸に沿う前記シャフトの移動が略規制され、前記密封面に対して前記シャフトの１つのみの端部に結合された流体流れ制御部材を整合させる、回転弁。
【請求項１６】
前記シャフト保持部は、前記シャフトの肩部と前記キャップとの間で前記ボンネット内に捕捉された軸受組立体を備える、請求項１５記載の回転弁。
【発明の詳細な説明】
【技術分野】
【０００１】
本発明は、一般に流体弁に関し、より詳細には、流体弁とともに使用するためのシャフト保持組立体に関する。
【背景技術】
【０００２】
プロセス制御設備またはシステムは、プロセス流体の流れを制御するために、ボール弁、バタフライ弁、偏心ディスク弁、偏心プラグ弁などの回転弁をしばしば採用する。回転弁は、通常、流体管路内に配置され、シャフトを介して弁の本体に回転自在に結合された流体制御要素（たとえば、ディスク、ボールなど）を含む。一部の回転弁を通る流体の流れを制御するために、流体制御要素の位置は、流体制御要素が流れ開口を包囲する密封部により密封係合状態にある閉位置から、流体制御要素が密封部から離間された、完全開位置すなわち最大流速位置まで変化する場合がある。
【０００３】
流体制御要素を密封部と適切に整合可能にするために、一部の回転弁は、流体制御要素の上部ドライブハブおよび下部ドライブハブにそれぞれ当接する、対向するスリーブを提供される。さらに、流体制御要素を密封部と適切に整合可能にするために、一部の回転弁は、流体制御要素の上部ドライブハブおよび下部ドライブハブの両方を通って流体経路に入り、それぞれのスリーブを通って延在する、シャフトを含む。こうした手法は、密封部に対して流体制御要素の整合を可能にする場合があるが、衛生用途において、この手法に関連する流体経路内の多数の構成部品および当接部は、これらの構成部品上および／または構成部品の近傍に微粒子および／または細菌の蓄積および／または増殖を引き起こす傾向がある。
【発明の概要】
【０００４】
流体弁とともに使用するためのボンネット組立体は、流体弁のシャフトの少なくとも一部を受け入れる通路を画定するボンネットを含む。ボンネットは、流体弁に取外し可能に結合されるものとする。さらに、例示的ボンネット組立体は、流体弁を通る流体の流れに実質的に暴露されないためにボンネット内に取り付けられた保持組立体を含む。保持組立体は、流体弁の着座面に対してシャフトの端部に結合された密封要素の整合を可能にするために、シャフトの長手軸に沿ったシャフトの移動量を制御するものとする。
【図面の簡単な説明】
【０００５】
【図１】公知の回転弁の図である。
【図２】例示的保持組立体を含む例示的回転弁の図である。
【図３】図２の例示的回転弁と同様の別の例示的回転弁の図である。
【図４】図２の例示的保持組立体を実装するために使用されてもよい例示的保持部の図である。
【図５】図２の例示的保持組立体を実装するために使用されてもよい例示的保持部の図である。
【図６】図２の例示的保持組立体を実装するために使用されてもよい例示的シャフトの図である。
【図７】図２の例示的保持組立体を実装するために使用されてもよい例示的カラーの図である。
【図８】図２の例示的回転弁を実装するために使用されてもよい例示的ボンネットの図である。
【図９】代替の例示的保持組立体を有する例示的ボンネット組立体の図である。
【図１０】代替の例示的保持組立体を有する例示的ボンネット組立体の図である。
【図１１】代替の例示的保持組立体を有する例示的ボンネット組立体の図である。
【発明を実施するための形態】
【０００６】
いくつかの例は、上記の図に示し、以下に詳細を説明する。これらの例の説明において、同様または同一の参照番号は、同一または類似の要素を示すために使用される。図は必ずしも原寸に比例して描かれてはおらず、図のいくつかの特徴およびいくつかの表示は、明確化および／または簡潔化のために、縮尺上または概略的に強調されて図示されている場合がある。さらに、いくつかの例は、本明細書全体を通して記載されている。任意の例の任意の特徴は、他の例の他の特徴に含まれてもよく、置換されてもよく、あるいは組み合わせられてもよい。
【０００７】
本明細書に記載された例示的シャフト保持組立体は、流体弁の流れ開口内の構成部品および／または当接部の数を低減し、それによって、微粒子および／または細菌が、たとえば衛生処理用途において使用される流体弁内に蓄積および／または増殖する可能性を低減する。具体的には、本明細書に記載された例示は、流体弁の流体経路の外側に配置された保持組立体を提供される回転弁に関するが、さらに着座面に対する密封要素の適切な整合を可能にする。
【０００８】
本明細書に記載された例示的回転弁は、弁本体に結合されたボンネットの通路を通って延在するシャフトを有する密封要素を含む。シャフトの縦運動を制御するため、およびそれにともなって流体弁の着座面に対して密封要素の位置または整合を制御するために、シャフトの端部は、複数のリングセグメントが周囲に配置された溝部を画定する。リングセグメントは、溝部から延在してもよく、ボンネットの対向する面とボンネットによって画定された空洞内に部分的に配置されたキャップとの間で捕捉される。作動中、シャフトの溝部、リングセグメントおよびボンネットの対向する面との間の相互作用は、着座面に対して密封要素の整合を維持させ、ならびに流体弁に冗長噴出保護を提供するために、シャフトおよび密封要素を維持する。
【０００９】
図１は、開口１０４およびボア１０６を画定する本体１０２を含む公知の回転衛生弁１００を示す。流体制御要素または流体流れ制御部材（たとえば、ディスク）１０８は、密封組立体１１０と係合するために、開口１０４内に少なくとも部分的に配置される。流体制御要素１０８は、シャフト１１２が通って延在する上部ドライブハブ１１４と下部ドライブハブ１１６との間の相互作用を介して、シャフト１１２と結合される。具体的には、ドライブハブ１１４および１１６は、それぞれ実質的に正方形の形状を有する開口（図示せず）を画定し、同様に、シャフト１１２の一部１１８は、開口に対応する正方形の形状を有する。回転衛生弁１００の軸１２０に沿った流体制御要素１０８の位置を維持するために、流体制御要素１０８の下部ドライブハブ１１６は、下部軸受１２４と下部ドライブハブ１１６との間のシャフト１１２の周囲に配置された下部スリーブ１２２と係合し、および／または当接する。さらに、軸１２０に沿って流体制御要素１０８の位置を維持するために、流体制御要素１０８の上部ドライブハブ１１４は、上部軸受１２８と上部ドライブハブ１１４との間のシャフト１１２の周囲に配置された上部スリーブ１２６と係合し、および／または当接する。流体制御要素１０８の位置は、下部スリーブ１２２、下部ドライブハブ１１６、下部軸受１２４、上部スリーブ１２６、上部ドライブハブ１１４、上部軸受１２８、本体１０２によって画定される肩部１３０、スペーサスリーブ１３２、２つのかみ合い部１３６および１３８を含む冗長噴出保護部材１３４、弁パッキング１４０ならびにパッキング・フォロワ１４２の間の相互作用によって維持されてもよく、そのすべては、本体１０２と結合されたキャップ１４６の一部１４４によってボア１０６内に固定されている。
【００１０】
作動中、回転衛生弁１００を通る流体流速は、密封組立体１１０に対して流体制御要素
１０８の位置によって制御される。流体制御要素１０８の位置は、流体制御要素１０８が密封組立体１１０と密閉係合する閉位置または閉状態から、流体制御要素１０８が密封組立体１１０から離間された、および／または開口１０４を通る流体流れに実質的に平行な、完全開位置または最大流速位置まで変化する場合がある。
【００１１】
図１の公知の回転衛生弁１００において、スリーブ１２２および１２６、シャフト１１２ならびにドライブハブ１１４および１１６の間の当接部または表面は、開口１０４を通して流体流路に少なくとも部分的に暴露される。結果として、微粒子および／または細菌は、これらの表面上および／もしくは構成部品上ならびに／または表面および／もしくは構成部品の近傍に蓄積および／または増殖する傾向を有する場合がある。流体がスリーブ１２２および１２６ならびにドライブハブ１１４を通って流れて、微粒子および／または細菌の増大する量を低減させることを可能にするために、これらの構成部品は、開口を提供され、その開口の一部が参照番号１４８で示されている。しかし、このような手法は、微粒子および／または細菌の適切に除去しない場合がある。したがって、あらゆる蓄積された微粒子および／または細菌を除去するために、回転衛生弁１００は、通常、温水または任意の他の適切な物質（たとえば、高温の苛性溶液）を用いて適所で洗浄される。
【００１２】
回転衛生弁１００を組み立てるために、冗長噴出保護部材１３４のかみ合い部１３６および１３８は、溝部１５０に隣接したシャフト１１２の周囲に配置され，一緒に結合される。次いで、軸受１２４および１２８、スリーブ１２２および１２６ならびにスペーサスリーブ１３２は、凹部１５２およびボア１０６の中または近傍にそれぞれ配置されてもよい。次いで、流体制御要素１０８は、ドライブハブ１１４および１１６を通る開口が、凹部１５２およびボア１０６と実質的に整合されるように、開口１０４内に配置されてもよい。次いで、冗長噴出保護部材１３４を含むシャフト１１２は、ボア１０６、ドライブハブ１１４および１１６の開口を通って凹部１５２の中に誘導されてもよい。弁パッキング１４０、次いでパッキング・フォロワ１４２は、シャフト１１２の周囲に配置されてもよく、キャップ１４６は、その一部１４４がスリーブ１２２および１２６、軸受１２４および１２８、スペーサスリーブ１３２、冗長噴出保護部材１３４、ならびに弁パッキング１４０を、パッキング・フォロワ１４２を介して、少なくとも部分的に凹部１５２もしくはボア１０６中または隣接して固定するように、本体１０２に結合されてもよい。
【００１３】
図２は、例示的流体弁、回転弁、または弁本体２０２およびボンネット組立体２０３を含む回転衛生弁２００を示す。弁本体２０２は、流れ開口２０４および開口部２０６を画定する。密封部材、密封要素または流れ制御部材（たとえば、ディスク）２０８は、少なくとも部分的に流れ開口２０４内に配置され、流れ開口２０４を包囲する密封部または着座面２１２（たとえば、弾性密封部および／または可撓性密封部）と係合する密封部２１０を有する。シャフト１１２（図１）がスリーブ１２２および１２６に当接しかつ／または隣接して配置される上部ドライブハブ１１４および下部ドライブハブ１１６（図１）を通って延在する図１の流体制御要素１０８とは対照的に、図２の回転弁２００は、密封要素２０８の上部２１６のみから通って延在する、または密封要素２０８の上部２１６のみに結合するシャフト２１４を含む。したがって、密封要素２０８は、シャフト２１４の端部を介して片持ちとなっている。シャフト２１４は、溶接などの任意の適切な方法を介して密封要素２０８に結合されてもよい。一部の例では、シャフト２１４と密封要素２０８との間の結合（たとえば、溶接ビード）は、微粒子および／もしくは細菌が蓄積または増殖する場合があるあらゆる角部（複数可）ならびに／または表面（複数可）を除去するため、ならびに／またはシャフト２１４と密封要素２０８との間の実質的に平滑な移行を確実にするために、やすりをかけられ、あるいは研磨されてもよい。
【００１４】
例示的ボンネットまたは支持本体２１８は、締め具（図示せず）を介して弁本体２０２に取り外し可能に結合されてもよい。弁本体２０２に対してボンネット２１８の位置を維
持するために、弁本体２０２は、ボンネット２１８の対応する表面２２２によって係合されるように構成された段付き部または肩部２２０を含む。ボンネット２１８は、シャフト２１４を受け入れる通路またはボア２２４を画定し、シャフト２１４は通路２２４内で回転できる。さらに、ボンネット２１８は、細長い部分２２６と、キャップ２３２の少なくとも一部を受け入れる空洞部２３０を画定するカラー２２８とを含む。この例では、キャップ２３２は、締め具２３４を介してカラー２２８に取り外し可能に結合される。
【００１５】
シャフト２１４および／または長手軸２３６に沿った密封要素２０８の移動量を制御するため、および／または冗長噴出保護を備えた例示的回転弁２００を提供するために、例示的ボンネット組立体２０３は、保持組立体またはシャフト保持部２３８を含む。図２に示されたように、保持組立体２３８は、流れ開口２０４を通って流体流れに実質的に暴露されず、ボンネット２１８内に実質的に取り付けられてもよい。この例示では、保持組立体２３８は、シャフト２１４の端部２４０に近接し、保持部、または互いに対して実質的に対称であってもよい複数のリングセグメント２４２（たとえば、分割リング、スナップリング）（図４および５に最もわかりやすく示されている）を含み、これは、たとえば、ポリフェニレンサルファイド素材、ポリアリールエーテルエーテルケトン素材などの比較的摩擦抵抗が低い軸受材料で作られてもよい。保持部２４２は、シャフト２１４によって画定された溝部２４４（図６に最もわかりやすく示されている）を少なくとも部分的に包囲し、配置されてもよい。一部の例示では、溝部２４４の厚さ６０２（図６）は、保持部２４２の厚さ５０２（図５）より比較的により大きい場合があり、それによって保持部２４２を溝部２４４の周囲に比較的容易に配置することができ、かつ／または製作公差を補償することができる。保持部２４２の一部２４６は、溝部２４４から延在し、保持部２４２がボンネット２１８に実質的に捕捉されるように、ボンネット２１８およびキャップ２３２の対向する面２４８と２５０（図７に最もわかりやすく示されている）との間に捕捉される。
【００１６】
一般に、溝部２４４、保持部２４２ならびに対向する面２４８および２５０の間の相互作用は、シャフト２１４ならびに密封要素２０８を、弁本体２０２および着座面２１２に対して密封要素２０８の整合を可能にするように保持する。より具体的には、溝部２４４、保持部２４２ならびに対向する面２４８および２５０の間の相互作用は、着座面２１２に対して密封要素２０８の整合を可能にするために、長手軸２３６に沿ってシャフト２１４の移動量を制御する。キャップ２３２は、保持部２４２の一部２４６が少なくとも部分的に配置される溝部２５２を画定し、カラー２２８は、該一部２４６によって係合された肩部２５４を含む。一部の例示では、テーパ面２５６は、組立中に溝部２５２に対して保持部２４２の整合を可能にするために溝部２５２を実質的に包囲する場合がある。
【００１７】
回転弁２００を組み立てるために、シャフト２１４は、たとえば、溶接を介して、密封要素２０８に結合されてもよい。次いで、シャフト２１４の端部２４０は、弁本体２０２によって画定された開口２０６を通って誘導されてもよい。次いで、第１の軸受２５８、スペーサスリーブ２６０および第２の軸受２６２が、シャフト２１４を横方向に支持するためにボンネット２１８の通路２２４に配置されてもよい。次に、密封部（たとえば、Ｏリング）２６４、２６６および２６８は、ボンネット２１８によって画定された溝部２７０、２７２および２７４（図８に最もわかりやすく示されている）のそれぞれに配置されてもよい。
【００１８】
次いで、ボンネット２１８の通路２２４は、ボンネット２１８の対応する面２２２が弁本体２０２の肩部２２０と係合し、シャフト２１４の端部２４０がカラー２２８から延在するように、シャフト２１４の周囲に配置されてもよい。次いで、ボンネット２１８は、締め具を介して弁本体２０２に結合されてもよく、保持部２４２は、シャフト２１４の溝部２４４の周囲に配置されてもよい。溝部２５２を包囲するキャップ２３２の開口２７６
は、次いでシャフト２１４の周囲に配置されてもよく、キャップ２３２は、保持部２４２に向かって空洞部２３０内で移動してもよい。保持部２４２は、溝部２５２を包囲するテーパ面２５６のために、溝部２５２内で自己整合してもよい。一旦キャップ２３２がカラー２２８に対して配置されると、キャップ２３２は締め具２３４を介してカラー２２８に結合されてもよい。密封保持部２７８は、密封要素２０８に対して着座面２１２を固定および／または配置するために、たとえば、締め具（図示せず）を介して弁本体２０２に結合されてもよい。
【００１９】
図３は、例示的流体弁、回転弁または図２の回転弁２００に類似した回転衛生弁３００を示す。しかし、回転弁２００とは対照的に、図３の回転弁３００は、締め具２３４（図２）を介してカラー２２８（図２）に結合されるのではなく、ボンネット３０６のカラー３０４と螺合するキャップ３０２を含む。
【００２０】
図９は、締め具（図示せず）を介して（図２の弁本体２０２に類似した）弁本体に取外し可能に結合されてもよい代替のボンネット組立体９００を示す。上述の例示とは対照的に、保持組立体または図９のシャフト保持部９０２は、シャフト９０４および／または（図２の密封要素２０８に類似した）密封要素の長手軸９０６に沿った移動量を、軸受組立体９０８とシャフト９０４の肩部９１０との間およびキャップ（たとえば、軸受キャップ）９１２とシャフト９０４に螺合する保持部９１４との間の相互作用を介して制御する。
【００２１】
この例示では、軸受組立体９０８は、第１の軸受９１６、スペーサスリーブ９１８および第２の軸受９２０を含む。具体的には、シャフト９０４が長手軸９０６に沿って、概して矢印９２２によって示された方向に移動することを実質的に防止するために、肩部９１０は、スペーサスリーブ９１８を介して定位置に維持される第１の軸受９１６、第２の軸受９２０およびキャップ９１２と係合する。シャフト９０４が長手軸９０６に沿って概して矢印９２４によって示された反対方向に移動することを実質的に防止するために、保持部９１４はスペーサスリーブ９１８を介して定位置に維持される第２の軸受９２０、第１の軸受９１６およびボンネットまたは支持本体９２８の内側肩部９２６と係合する。第１の軸受９１６および第２の軸受９２０は、たとえば、ポリアリールエーテルエーテルケトン素材などの任意の適切な材料で製作されてもよい。
【００２２】
図１０は、保持組立体またはシャフト保持部１００２を含むボンネット組立体１０００を示す。複数のリングセグメントを含む保持部２４２を有する保持組立体２３８とは異なり、図１０の保持組立体１００２は、環状要素または固体軸受リングであってもよい保持部１００４を含む。図１０の保持部１００４は、製作中に図２の保持部２４２と比べて比較的容易に製作され、かつ／または製作公差を維持されてもよい。
【００２３】
実際には、保持部１００４をシャフト１００６と結合するために、保持部１００４は、シャフト１００６の肩部１００８に隣接するシャフト１００６の周囲に配置され、次いで軸受保持部１０１０は、保持部１００４が肩部１００８と軸受保持部１０１０との間のシャフト１００６の周囲に固定して配置されるように、シャフト１００６のねじ端部１０１２上にねじ込まれる。シャフト１００６は肩部１０１４を含むが、シャフト１００６は肩部１０１４を含まない場合もある。
【００２４】
図１１は、保持組立体またはシャフト保持部１１０２を含むボンネット組立体１１００を示す。保持部２４２がシャフト２１４によって画定された溝部２４４に配置された保持組立体２３８とは異なり、図１１のシャフト１１０４は、シャフト１１０４から延在し、保持部または少なくとも部分的にフランジ１１０６を包囲する軸受（たとえば、スリットリング）１１０８によって受け入れられる、ステップ、フランジまたはタブディスク１１０６を含む。保持部１１０８は、たとえば、ポリアリールエーテルエーテルケトン素材な
どの任意の適切な材料で製作されてもよい。フランジ１１０６は、シャフト１１０４の一体部分であってもよく、またはたとえば、締め具（図示せず）を介してシャフト１１０４に結合されてもよい。実際には、保持部１１０８は、フランジ１１０６の周囲に配置され、結果としてキャップ１１１０と支持本体またはボンネット１１１２との間で捕捉されて、長手軸１１１４に沿ってシャフト１１０４の移動量を制御する。シャフト１１０４は肩部１１１６を含むが、シャフト１１０４は肩部１１１６を含まない場合もある。
【００２５】
シャフト１１０４にフランジ１１０６を提供すると、シャフト１１０４が比較的小さい全径を有することが可能になる場合があるが、溝部を生成するためにシャフト１１０４から材料は除去されないので、依然として十分に構造的完全性を維持する。さらに、こうした手法は、特にフランジ１１０６が締め具（複数可）を介してシャフト１１０４に結合される場合に、溝部をシャフト１１０４上に作成する必要がないため、保持組立体２３８を生産および／または製作するために必要な時間を削減する場合がある。
【００２６】
いくつかの例示的な製造の方法、装置および製造品を本明細書に説明したが、本発明の対象の範囲がそれに限定されるものではない。逆に、本発明は、添付の特許請求の範囲内に、文字通りまたは均等論のもとのいずれかにより、適正に収まる製品のすべての方法、装置および製造品を包含する。
【図１】
0006140218.tif 000002
【図２】
0006140218.tif 000003
【図３】
0006140218.tif 000004
【図４】
0006140218.tif 000005
【図５】
0006140218.tif 000006
【図６】
0006140218.tif 000007
【図７】
0006140218.tif 000008
【図８】
0006140218.tif 000009
【図９】
0006140218.tif 000010
【図１０】
0006140218.tif 000011
【図１１】
0006140218.tif 000012